(57)【要約】      （修正有）【課題】安価なローパワーＬＥＤモジュールを使用しても、照度低下を起こすことがないダブルＬＥＤモジュール式照明装置を提供する。【解決手段】ダブルＬＥＤモジュール式照明装置は、二つのＬＥＤモジュール２０が上蓋１０の底面１２に固定され、更に上蓋１０が下蓋３０上に固定され、該二つのＬＥＤモジュールが被覆され、並びに下蓋の、該二つのＬＥＤモジュールに対応する部分に透光孔３１が設けられて、照明装置の照度を高める効果を達成する。【選択図】図２
0003157517.tif 000002
【実用新案登録請求の範囲】
【請求項１】
ダブルＬＥＤモジュール式照明装置において、
上面と底面を具え、該上面に該底面に貫通する複数の放熱孔が設けられた上蓋と、
該上蓋の底面に固定された二つのＬＥＤモジュールと、
該上蓋に固定され、該二つのＬＥＤモジュールを被覆し、該二つのＬＥＤモジュールに対応する位置に少なくとも一つの透光孔が設けられた下蓋と、
該上蓋と該下蓋の両端に固定された一対のサイドキャップと、
を包含したことを特徴とする、ダブルＬＥＤモジュール式照明装置。
【請求項２】
請求項１記載のダブルＬＥＤモジュール式照明装置において、該二つのＬＥＤモジュールは少なくとも一組の固定部品により該上蓋の底面に固定され、各該固定部品は第１固定部と第２固定部を具え、並びに該第１固定部は該上蓋の底面に固定され、該第２固定部は該二つのＬＥＤモジュールに固定されることを特徴とする、ダブルＬＥＤモジュール式照明装置。
【請求項３】
請求項１又は２記載のダブルＬＥＤモジュール式照明装置において、該上蓋の放熱孔が該二つのＬＥＤモジュールの位置に対応することを特徴とする、ダブルＬＥＤモジュール式照明装置。
【請求項４】
請求項１記載のダブルＬＥＤモジュール式照明装置において、該上蓋の底面に二つの変圧素子が固定され、該変圧素子が対応する該ＬＥＤモジュールに電気的に接続されたことを特徴とする、ダブルＬＥＤモジュール式照明装置。
【請求項５】
請求項１記載のダブルＬＥＤモジュール式照明装置において、該上蓋、該下蓋及び該サイドキャップが加圧加工方式で形成されたことを特徴とする、ダブルＬＥＤモジュール式照明装置。
【請求項６】
請求項１記載のダブルＬＥＤモジュール式照明装置において、該下蓋にそれぞれ該ＬＥＤモジュールに対応する二つの透光孔が設けられたことを特徴とする、ダブルＬＥＤモジュール式照明装置。
【考案の詳細な説明】
【技術分野】
【０００１】
本考案は一種の照明装置に係り、特に、下蓋内に二つのＬＥＤモジュールが収容されて照明装置の照度を高めた、ダブルＬＥＤモジュール式照明装置に関する。
【背景技術】
【０００２】
日常生活において、照明設備は古くより不可欠の重要な設備であり、既存の照明設備の大半は電球或いは灯管を主要な光源としており、これらの灯管或いは電球で比較的一般的であるのは、蛍光灯、白熱灯、ハロゲン灯管、或いはハロゲン電球である。そのうち、蛍光灯は消費電力が白熱灯の４分の１であり、寿命は白熱灯の５〜１０倍に達し、且つその発光均一性もまた比較的良好であり、広角照明に運用でき、このため、比較的広く使用されている。
【０００３】
以下に周知の一種の蛍光灯照明設備について説明する。図１を参照されたい。図１は周知の蛍光灯照明設備の構造分解図であり、蛍光灯管７１とランプシート７２を包含する。そのうち、蛍光灯管７１は灯管本体７１１と一対の金属端部７１２を具え、金属端部７１２にはそれぞれ一対の電極コネクタ７１３が設けられている。ランプシート７２はランプシート本体７２１、一対の電極シート７２２及びスタータ７２３で構成され、上述の電極シート７２２はランプシート本体７２１の両端部に設置され、並びに一対の電極挿入孔７２４を具えている。実際の使用時には、蛍光灯管７１は金属端部７１２の電極コネクタ７１３がランプシート７２の電極挿入孔７２４に挿入されることにより、電気的接続を達成する。
【０００４】
蛍光灯管の発光原理は電極から放出される電子と蛍光灯管内の粒子が衝突し、これにより紫外線を発生して灯管内に塗布された蛍光粉を励起させて白色光を発生させることにあるが、蛍光灯管内に塗布された蛍光粉は通常汚染性の重金属元素（例えば：水銀）を含有し、容易に回収再利用できないのみならず、環境の汚染を形成しやすく、現在強調されている環境保護概念と相反する。
【０００５】
ＬＥＤは消費電力が少なく、素子の寿命が長く、ウォーミングアップ時間がなく、反応速度が速い等の長所を有し、さらに、体積が小さく、振動に耐え、量産に適合することから、既存の照明装置は次第にＬＥＤを発光の光源とするものに改められている。
【０００６】
テクノロジーの進歩により、蛍光灯にＬＥＤモジュールが取って代わるようになり、蛍光灯管の形成する問題を克服し、並びにＬＥＤモジュールを採用して照明装置が製造されている。
【０００７】
照明装置に単一のＬＥＤモジュールを使用するとき、製造コスト及び量産を考慮し、ＬＥＤモジュールの多くはローパワーのＬＥＤで製造され、これにより、ＬＥＤモジュールの照度は比較的低くなり、単一のＬＥＤモジュールの構成する照明装置に照度が不足する問題を発生する。
【考案の概要】
【考案が解決しようとする課題】
【０００８】
総合すると、周知の技術には、長期にわたりローパワーＬＥＤを使用したＬＥＤモジュールが、照明装置の照度不足をもたらす問題が存在しており、これにより、この問題を解決する技術手段の提供が必要とされている。
【課題を解決するための手段】
【０００９】
従来の技術に存在するローパワーＬＥＤを使用したＬＥＤモジュールが、照明装置の照度不足をもたらす問題に対して、本考案は一種の、ダブルＬＥＤモジュール式照明装置を提供する。
【００１０】
本考案に記載のダブルＬＥＤモジュール式照明装置は、上蓋、二つのＬＥＤモジュール、下蓋、一対のサイドキャップを有する。
【００１１】
そのうち、該上蓋に上面と底面が設けられ、該上面に該底面に貫通する複数の放熱孔が設けられ、該二つのＬＥＤモジュールはそれぞれ該上蓋の底面に固定される。該下蓋は該上蓋に固定され、該二つのＬＥＤモジュールを被覆し、その該二つのＬＥＤモジュールに対応する位置に透光孔が設けられている。該一対のサイドキャップは、該上蓋と該下蓋の両端に固定される。
【００１２】
該上蓋に形成された複数の放熱孔は自然対流の方式で、該二つのＬＥＤモジュールの発生する熱を散逸させ、並びに該上蓋の放熱孔は該二つのＬＥＤモジュールの位置に対応し、これにより自然対流の放熱効率をアップでき、並びに該上蓋の該放熱孔は等距離に平行に配列される。
【００１３】
このほか、該二つのＬＥＤモジュールは少なくとも一組の固定部品により該上蓋の底面に固定され、各固定部品は第１固定部と第２固定部を具え、並びに該第１固定部は該上蓋の底面に固定され、該第２固定部は該二つのＬＥＤモジュールに固定される。
【００１４】
このほか、該ダブルＬＥＤモジュール式照明装置は更に二つの変圧素子を具え、これら変圧素子はそれぞれ該上蓋の底面に固定され、それぞれ該二つのＬＥＤモジュールに電気的に接続され、これにより該二つのＬＥＤモジュールに安定した電源を提供する。
【考案の効果】
【００１５】
本考案に記載のダブルＬＥＤモジュール式照明装置は上述したとおりであり、従来の技術との間の差異は、本考案のダブルＬＥＤモジュール式照明装置は、該二つのＬＥＤモジュールが上蓋の底面に固定され、並びに該上蓋が該下蓋上に固定され、これにより該二つのＬＥＤモジュールが該下蓋の収容空間内に収容され、さらに、該一対のサイドキャップにより該下蓋と該上蓋の両端部分が固定され、こうして該ダブルＬＥＤモジュール式照明装置が形成され、これにより、有効にダブルＬＥＤモジュール式照明装置の照度がアップされる。
【００１６】
上述の技術手段により、本考案は効果的に照明装置の照度をアップする効果を達成する。
【図面の簡単な説明】
【００１７】
【図１】周知の蛍光灯照明装置の分解図である。
【図２】本考案のダブルＬＥＤモジュール式照明装置の立体分解図である。
【図３】本考案のダブルＬＥＤモジュール式照明装置の立体組み合わせ図である。
【図４Ａ】本考案のダブルＬＥＤモジュール式照明装置の透光孔の第１実施態様の仰視表示図である。
【図４Ｂ】本考案のダブルＬＥＤモジュール式照明装置の透光孔の第２実施態様の仰視表示図である。
【図５】本考案のダブルＬＥＤモジュール式照明装置の側面断面図である。
【図６Ａ】本考案のダブルＬＥＤモジュール式照明装置の固定部品の第１実施態様の側面図である。
【図６Ｂ】本考案のダブルＬＥＤモジュール式照明装置の固定部品の第２実施態様の側面図である。
【図７】本考案のダブルＬＥＤモジュール式照明装置の上蓋拡大図である。
【考案を実施するための形態】
【００１８】
以下に図面と実施例を組み合わせて本考案の実施方式を詳細に説明し、これにより本考案がいかなる技術手段を応用して技術問題を解決し並びに技術効果を達成するかの実現過程について十分な理解が得られるようにし、並びにそれに基づいて実施できるようにする。
【００１９】
図２を参照されたい。図２は本考案のダブルＬＥＤモジュール式照明装置の立体分解図であり、照明装置１００は上蓋１０、二つのＬＥＤモジュール２０、下蓋３０、及び一対のサイドキャップ４０で構成される。
【００２０】
上蓋１０は上面１１と底面１２を有し、該上面１１に該底面１２に貫通する複数の放熱孔１３が形成され、並びに上蓋１０に該ＬＥＤモジュール２０と下蓋３０が固定される。
【００２１】
ＬＥＤモジュール２０は少なくとも一組の固定部品６１により上蓋１０の底面１２に固定され、下蓋３０は螺合、係合、嵌合或いはスライドレールの方式で上蓋１０に固定され、これは例示に過ぎず、上述の固定方式に本考案の応用範囲が限定されるわけではなく、既存の固定技術はいずれも本考案中に属する。
【００２２】
下蓋３０はＬＥＤモジュール２０を被覆し、並びに下蓋３０のＬＥＤモジュール２０に対応する位置に透光孔３１が設けられて光線を透過させる。並びに図面には二つの透光孔３１が示されているが、図面に示されている内容により本考案の応用範囲が限定されるわけではない。
【００２３】
続いて、サイドキャップ４０が上蓋１０と下蓋３０の両端に固定され、螺合、係合、嵌合或いはスライドレールの方式で固定が実行され、これは例示しての説明に過ぎず、並びに上述の固定方式に本考案の応用範囲が限定されるわけではなく、既存の固定技術はいずれも本考案中に属する。
【００２４】
上述の上蓋１０、下蓋３０及びサイドキャップ４０は加圧加工の方式で製造可能で、並びにＬＥＤモジュール２０に複数の放熱フィンが形成され、ＬＥＤモジュール２０の発生する熱エネルギーが散逸させられる。
【００２５】
上述の上蓋１０、ＬＥＤモジュール２０、下蓋３０及びサイドキャップ４０が組み合わされた後、図３に示される本考案のダブルＬＥＤモジュール式照明装置が形成され、図３は本考案の立体組み合わせ図である。
【００２６】
続いて、図４Ａ及び図４Ｂを参照されたい。図４Ａは本考案のダブルＬＥＤモジュール式照明装置の透光孔の第１実施態様の仰視表示図であり、図４Ｂは本考案のダブルＬＥＤモジュール式照明装置の透光孔の第２実施態様の仰視表示図である。
【００２７】
図４Ａでは、下蓋３０に一つの透光孔３１が設けられ、並びに下蓋３０に設置された透光孔３１と上蓋１０に固定されたＬＥＤモジュール２０の位置が対応している。図面に描かれた内容は例示しての説明に過ぎず、本考案の応用範囲を限定するものではなく、ＬＥＤモジュール２０は透光孔３１を通して光線を放出でき、照明装置１００の照明効果を形成する。
【００２８】
図４Ｂでは、下蓋３０に二つの透光孔３１が設けられ、且つ下蓋３０に設置された透光孔３１は上蓋１０に固定されたＬＥＤモジュール２０の位置に対応し、図面に描かれた内容は例示しての説明に過ぎず、本考案の応用範囲を限定するものではなく、ＬＥＤモジュール２０は透光孔３１を通して光線を放出でき、照明装置１００の照明効果を形成する。
【００２９】
続いて、図２及び図５を参照されたい。図５は本考案のダブルＬＥＤモジュール式照明装置の側面断面図である。図中には僅かに二組の固定部品６１を例として説明しているが、本考案の応用範囲はこれに限定されるわけではない。
【００３０】
図５に示されるように、少なくとも一組の固定部品６１はそれぞれ第１固定部６１１と第２固定部６１２を具え、第１固定部６１１は少なくとも一組の固定部品６１を上蓋１０の底面１２に固定するのに用いられ、第２固定部６１２はＬＥＤモジュール２０を少なくとも一組の固定部品６１の間に固定するのに用いられ、すなわちＬＥＤモジュール２０は少なくとも一組の固定部品６１により上蓋１０の底面１２に固定される。
【００３１】
そのうち、第１固定部６１１による少なくとも一組の固定部品６１を上蓋１０の底面１２への固定、第２固定部６１２によるＬＥＤモジュール２０の少なくとも一組の固定部品６１の間への固定は、螺合、係合、嵌合或いはスライドレールの方式で実行されるが、これは例示の説明に過ぎず、上述の固定方式に本考案の応用範囲が限定されるわけではなく、既存の固定技術はいずれも本考案中に包含される。
【００３２】
つづいて、図６Ａ及び図６Ｂを参照されたい。図６Ａは本考案のダブルＬＥＤモジュール式照明装置の固定部品の第１実施態様の側面図であり、図６Ｂは本考案のダブルＬＥＤモジュール式照明装置の固定部品の第２実施態様の側面図である。
【００３３】
図６Ａでは、少なくとも一組の固定部品６１が傾斜部６１３で固定部品６１の第１固定部６１１及び第２固定部６１２に接続され、並びに固定部品６１の第１固定部６１１と第２固定部６１２に垂直の夾角を形成させる。
【００３４】
図６Ｂでは、固定部品６１の第１固定部６１１と第２固定部６１２が直接垂直の形状を形成し、固定部品６１の第２固定部６１２の長さの差異により、ＬＥＤモジュール２０の固定部分を調整する。
【００３５】
つづいて、図７は本考案のダブルＬＥＤモジュール式照明装置の上蓋拡大図である。上蓋１０に形成される複数の放熱孔１３は自然対流の方式でＬＥＤモジュール２０の発生する熱を散逸させる。
【００３６】
このほか、上蓋１０に形成される複数の放熱孔１３は、等距離に平行に配列され、これは僅かに例に過ぎず、上蓋１０に形成される複数の放熱孔１３の配列方式はこれに限られず、並びに上蓋１０に形成される複数の放熱孔１３とＬＥＤモジュール２０の位置は対応し、これにより自然対流の放熱効率がアップする。
【００３７】
このほか、図２に示されるように、照明装置１００はさらに二つの変圧素子５０を包含し、変圧素子５０は螺合、係合、嵌合或いはスライドレールの方式で上蓋１０の底面１２に固定されるが、これは例に過ぎず、上述の固定方式が本考案の応用範囲を限定するわけではなく、既存の固定技術はいずれも本考案の範囲に属する。
【００３８】
変圧素子５０はそれぞれＬＥＤモジュール２０に電気的に接続され、ＬＥＤモジュール２０の電源を提供し、ＬＥＤモジュール２０に光線を発生させ、並びに変圧素子５０はＬＥＤモジュール２０の電源を提供するほか、電圧安定化の機能を具備し、ＬＥＤモジュール２０に安定した光線を発生させ、ＬＥＤモジュール２０が照度の落差を形成するのを防止する。
【００３９】
総合すると、本考案と従来の技術との間の差異は、本考案のダブルＬＥＤモジュール式照明装置は、ＬＥＤモジュールが上蓋の底面に固定され、並びに該上蓋が下蓋上に固定され、これにより該二つのＬＥＤモジュールが該下蓋の収容空間内に収容され、さらに、該一対のサイドキャップにより該下蓋と該上蓋の両端部分が固定され、こうして該ダブルＬＥＤモジュール式照明装置が形成され、これにより、有効にダブルＬＥＤモジュール式照明装置の照度がアップされることにある。
【００４０】
上述の技術手段により、本考案は従来の技術に存在していたローパワーのＬＥＤを使用したＬＥＤモジュールが、照明装置の照度不足を形成する問題を解決し、これにより、効果的に照明装置の照度をアップする効果を達成する。
【００４１】
本考案は前述の実施例を以て開示されたが、それは本考案を限定するためのものではなく、この技術に通じた者が、本考案の精神と範囲内においてなし得る変更或いは修飾は、いずれも本考案の権利請求の範囲に属するものとする。
【符号の説明】
【００４２】
１００  照明装置
１０  上蓋
１１  上面
１２  底面
１３  放熱孔
２０  ＬＥＤモジュール
３０  下蓋
３１  透光孔
４０  サイドキャップ
５０  変圧素子
６１  固定部品
６１１  第１固定部
６１２  第２固定部
６１３  傾斜部
７１  蛍光灯管
７１１  灯管本体
７１２  金属端部
７１３  電極コネクタ
７２  ランプシート
７２１  ランプシート本体
７２２  電極シート
７２３  スタータ
７２４  電極挿入孔
【図１】
0003157517.tif 000003
【図２】
0003157517.tif 000004
【図３】
0003157517.tif 000005
【図４Ａ】
0003157517.tif 000006
【図４Ｂ】
0003157517.tif 000007
【図５】
0003157517.tif 000008
【図６Ａ】
0003157517.tif 000009
【図６Ｂ】
0003157517.tif 000010
【図７】
0003157517.tif 000011